(57)【要約】  実験用動物の心臓に灌流液を簡易且つ確実に注入できる注射針器具を提供する。薬剤を組織へ注入する際に注射針を支持固定する注射針支持固定具８００である。注射針の針先を露出させて該注射針を支持する注射針支持部と、組織に取り付けられることにより組織に穿刺された注射針を固定する注射針固定部と、を有する。注射針支持部は、第１板部２２０と第２板部２３０とを備え、第１板部２２０と第２板部２３０との間で注射針の針先を露出させて注射針を挟持しながら注射針を粘着支持する。
2017033452.tif 000002
【特許請求の範囲】
【請求項１】
薬剤を組織へ注入する際に注射針を支持固定する注射針支持固定具であって、
注射針の針先を露出させて該注射針を支持する注射針支持部と、
前記組織に取り付けられることにより前記組織に穿刺された注射針を固定する注射針固定部と、
を有することを特徴とする注射針支持固定具。
【請求項２】
前記注射針支持部は、第１板部と第２板部とを備えており、前記第１板部及び第２板部は、それぞれ、着脱自在に粘着する第１粘着面及び第２粘着面を対向する内表面に有し、第１板部と第２板部との間で注射針の針先を露出させて注射針を挟持しながら前記注射針を粘着支持することを特徴とする請求項１に記載の注射針支持固定具。
【請求項３】
前記注射針支持部は、前記第１板部及び第２板部が一枚物の板部で構成され、前記第１板部と第２板部とを区分けする谷折線で折り畳むことにより、前記第１板部と第２板部との間で注射針の針先を露出させて注射針を挟持することを特徴とする請求２に記載の注射針支持固定具。
【請求項４】
前記注射針支持部は、前記第１粘着面及び第２粘着面がそれぞれシール部により覆われており、前記シール部を剥離することにより前記第１粘着面及び第２粘着面が露出することを特徴とする請求項２又は３に記載の注射針支持固定具。
【請求項５】
前記注射針支持部は、注射針の周りに同心円的に取り付けられる中空の筒体であり、前記筒体の中空内部に前記注射針を挿入することにより、注射針外面と前記筒体の中空内部との摩擦により前記注射針を支持することを特徴とする請求項１に記載の注射針支持固定具。
【請求項６】
前記注射針固定部は、組織に取り付けられるクリップであり、前記クリップが前記注射針支持部の側部に設けられていることを特徴とする請求項１乃至５の何れか１項に記載の注射針支持固定具。
【請求項７】
前記クリップは組織を把持する一対の腕部材を備えており、
一方の腕部材が組織の前面側に当接し、他方の腕部材が組織の後面側に当接して、前記クリップが組織を把持するものであることを特徴とする請求項６に記載の注射針支持固定具。
【請求項８】
前記クリップは、
先端部に圧接部が形成され後端部につまみ部が形成され、略中間位置で枢支された一対の腕部材と、
弾性力により各々の圧接部を互いに接近せしめる方向に付勢されて組織を把持する弾性部と、を有することを特徴とする請求項６又は７に記載の注射針支持固定具。
【請求項９】
前記圧接部には互いに向き合う面に複数の筋状の凹凸部が形成されていることを特徴とする請求項８に記載の注射針支持固定具。
【請求項１０】
薬剤を組織へ注入するための注射針器具であって、
注射針を支持固定する注射針支持固定具と、
前記注射針支持固定具に支持された注射針と、を備え、
前記注射針支持固定具は、
注射針の針先を露出させて該注射針を支持する注射針支持部と、
前記組織に取り付けられることにより前記組織に穿刺された注射針を固定する注射針固定部と、を有することを特徴とする注射針器具。
【請求項１１】
前記注射針固定部は、組織に取り付けられるクリップであり、前記クリップが前記注射針支持部の側部に設けられていることを特徴とする請求項１０に記載の注射針器具。
【発明の詳細な説明】
【技術分野】
【０００１】
本発明は、薬剤を組織へ注入する際に注射針を支持固定する注射針支持固定具に関する。また、本発明は、注射針支持固定具により支持固定された注射針を有する注射針器具に関し、具体的には実験用動物の心臓に灌流液を注入する際に使用する灌流用の注射針器具に関する。
【背景技術】
【０００２】
実験用動物に灌流液を注入して実験プロトコールを進める際に、実験用動物の心臓に灌流液を注入することがある。例えば、ラットの灌流固定では、麻酔薬でラットを麻酔し胸部を切開して心臓を見えるようにする。そして例えば左手に注射針器具、右手に無鈎鉗子を持ち、注射針を心尖部より左心室に入れ、上方に向かって針先を侵入させる。注射針が抜けないように無鈎鉗子で心臓とともに注射針を固定する。リン酸緩衝生理食塩水を流し、次に固定液を灌流し、動物の体が硬くなったら組織を取り出し、固定液に入れて保存する（非特許文献１、２）。【０００３】
灌流固定では、中枢神経系は死後変化を受けやすいため迅速に灌流液を注入して組織固定をする必要があり、また、実験用動物が特に胎生期又は生後すぐのような小さい個体の場合、注射針を穿刺する心臓が小さく、これらの理由により灌流固定等が適切になされない場合がある。例えば、針先を左心室に入れるつもりが左心室以外の場所を穿刺してしまう誤針、また例えば注射針を左心室に穿刺した後、注射針の突き抜けにより注射針先端が心室内の適切な場所に位置しない刺し過ぎ、また例えば注射針の固定が適切でないため穿刺した注射針が抜ける針抜け、等の問題がある。【０００４】
このような灌流固定の失敗は訓練により減らす事は可能であるが、完全に避けることはできない。とくに初心者にとってはこれらの問題を完全にコントロールする事は極めて困難であり、実験動物や作業従事者への負担は大きい。初心者にも簡単且つ正確に実験動物の心臓灌流が可能になることは生命科学研究において極めて意義があると言える。【０００５】
そのため、予め注射針の中程を45〜60度位の角度で曲げておく手法が存在する。かかる手法によれば、注射針を曲げた部分が目印となり、心臓内に侵入している注射針の長さが把握し易くなり、しかも注射針を曲げた部分を心臓内壁に引っ掛けることにより注射針の固定を行い易くなる。しかしながら、注射針を曲げることにより注射針を破損する虞があり、また、注射針を曲げた部分における流路が狭窄して灌流液が適切に注入できない虞もある。更には注射針を曲げた部分を心臓内壁に引っ掛けたとしても、その係合の程度は弱く、ある程度の力が加わることにより注射針が抜けることも考えられる。【０００６】
一方、特許文献１には、注射針体及び針位置規定部材を備える注射針器具が記載されている。注射針体は、注射針と、針位置規定部材に当接する位置決ストッパと、注射針の側面に設けられて斜め基端側に向けて突出する返し部材とを有する。針位置規定部材は、注射針が貫通可能なゴム部材を有し、注射針がゴム部材を貫通して、位置決ストッパが針位置規定部材の所定箇所に当接して位置決めされたとき、返し部材はゴム部材に係合する。【０００７】
この特許文献１記載の発明はヒトの皮膚に穿刺して薬液を注入する際に使用される注射針器具であり、注射針のずれを防止する返し部材はヒトの皮膚を必要以上に損傷しないために、ゴム部材に係合するものとなっており、そのため特許文献１記載の注射針器具は部品点数が多いものとなっている。このように、ヒトの皮膚に薬液を注入する注射針では、部品点数を多くしても安全性を重視する構成が求められるが、例えば、実験用動物の心臓に灌流液を注入する注射針では、被注射対象の動物の安全性は求められることはなく、むしろ灌流液の簡易且つ確実な注入が求められるので、実験用動物の灌流用の注射針器具において部品点数の増大はそのような要請を妨げる。また、特許文献１記載の発明における針位置規定部材は注射針の固定を目的とする場合相対的に大きな部品となり、実験用動物の心臓灌流のように手術部が小さい場合への転用は困難である。また、特許文献１記載の発明は皮膚のような乾き平面性に富んだ部位を対象としたものであり、小動物の心臓のように湿潤かつ小さく湾曲した表面に正確に固定し使用することは困難である。
【先行技術文献】
【特許文献】
【０００８】
【特許文献１】特開２００９−２３３２８６号公報
【非特許文献】
【０００９】
【非特許文献１】Jung-Hwa, T. ao-C. heng, Gallant, J., Brightman, P. E., Dosemeci, M. W., A,, Reese, T. S. Structural changes at the synapse after delayed perfusion fixation in different regions of the mouse brain. J. Comp. Neurol. 501, 731-740 (2007).
【非特許文献２】ラットの手術法, 片渕俊彦, 日本生理学雑誌Vol.63，No.10 2001.
【発明の概要】
【発明が解決しようとする課題】
【００１０】
本発明はかかる問題点に鑑みてなされたものであって、組織に薬剤を簡易且つ確実に注入できる注射針支持固定具を提供することを目的とする。
【課題を解決するための手段】
【００１１】
本発明にかかる注射針支持固定具は、薬剤を組織へ注入する際に注射針を支持固定する注射針支持固定具であって、注射針の針先を露出させて該注射針を支持する注射針支持部と、前記組織に取り付けられることにより前記組織に穿刺された注射針を固定する注射針固定部と、を有することを特徴とする。【００１２】
また、本発明にかかる注射針器具は、薬剤を組織へ注入するための注射針器具であって、注射針を支持固定する注射針支持固定具と、前記注射針支持固定具に支持された注射針と、を備え、前記注射針支持固定具は、注射針の針先を露出させて該注射針を支持する注射針支持部と、前記組織に取り付けられることにより前記組織に穿刺された注射針を固定する注射針固定部と、を有することを特徴とする。
【発明の効果】
【００１３】
本発明によれば、簡易且つ確実に薬剤を組織へ導入することができる。例えば、実験用動物の心臓内へ環流液を導入する場合にも簡易且つ確実に灌流液を動物の心臓内へ導入することができる。
【図面の簡単な説明】
【００１４】
【図１】実施形態１にかかる注射針支持固定具の概略を説明する平面図である。
【図２】実施形態１にかかる注射針支持固定具の概略を説明する側面図である。
【図３】実施形態１にかかる注射針支持固定具で注射針を支持した状態を説明する平面図である。
【図４】実施形態２にかかる注射針支持固定具で注射針を支持した状態を説明する平面図である。
【図５】実施形態２にかかる注射針支持固定具で注射針を支持した状態を説明する側面図である。
【図６】螺旋状に巻回された金属線部材でクリップがシリンダスペーサに取り付けられている構成を備える注射針支持固定具を説明する平面図である。
【図７】実験用動物の心臓に灌流液を導入する使用態様を説明する平面図である。
【図８】実験用動物の心臓に灌流液を導入する使用態様を説明する側面図である。
【図９】螺旋状に巻回された金属線部材を備える注射針支持固定具を使用して実験用動物の心臓に灌流液を導入する使用態様を説明する平面図である。
【図１０】返し部材を備える注射針を有する注射針器具の概略を説明する側面図である。
【図１１】返し部材を備える注射針を有する注射針器具を説明する断面図である。
【図１２】本実施例にかかる注射針支持固定具の写真図である。
【図１３】本実施例にかかる注射針支持固定具に注射針を取り付ける状態を説明する写真図である。
【図１４】本実施例にかかる注射針支持固定具に注射針を支持させた状態を説明する写真図である。
【図１５】本実施例にかかる注射針器具の写真図である。
【発明を実施するための形態】
【００１５】
以下、添付の図面を参照して本発明の実施形態について具体的に説明するが、当該実施形態は本発明の原理の理解を容易にするためのものであり、本発明の範囲は、下記の実施形態に限られるものではなく、当業者が以下の実施形態の構成を適宜置換した他の実施形態も、本発明の範囲に含まれる。
【００１６】
（実施形態１）
図１は、本実施形態にかかる注射針支持固定具８００の概略を説明する平面図である。注射針支持固定具８００は、薬剤を組織へ注入する際に注射針を支持固定する。例えば、注射針支持固定具８００は、実験用の動物の心臓の左心室内に灌流液を導入する際の注射針を支持固定するために使用される。
【００１７】
図１に示されるように、注射針支持固定具８００は、注射針の針先を露出させて該注射針を支持する注射針支持部としての板部２４０と、組織に取り付けられることにより組織に穿刺された注射針を固定する注射針固定部としてのクリップ３００と、を有する。注射針固定部は、例えば実験用動物の心臓の左心室又は右心室の心臓壁に取り付けられる。
【００１８】
板部２４０は一枚物の板部で構成されており、平面視形状は略長方形である。板部２４０にはそれぞれの短辺の中点どうしを結ぶ位置に、板部２４０を第１板部２２０と第２板部２３０とに区分けする谷折線２５０が設けられている。板部２４０とクリップ３００とは接続部３６１により接続されている。
【００１９】
図２は、本実施形態にかかる注射針支持固定具８００の概略を説明する側面図である。図２に示されるように、第１板部２２０及び第２板部２３０は、それぞれ、着脱自在に粘着する第１粘着面２２１及び第２粘着面２３１を対向する内表面に有する。第１粘着面２２１及び第２粘着面２３１は、特に限定されるものではないが例えば柔軟性のある粘着部材であり、具体的にはウレタン粘着部材である。第１粘着面２２１及び第２粘着面２３１はそれぞれ図示しないシール部により覆われており、このシール部を剥離することにより第１粘着面２２１及び第２粘着面２３１が露出する。第１板部２２０の一部はクリップ３００側に延出して接続部を形成する。接続部は、例えば、第１板部２２０とクリップ３００の一方のつまみ部３２０とを接続する。
【００２０】
図３は、本実施形態にかかる注射針支持固定具８００で針先１１０を有する注射針１００を支持した状態を説明する平面図である。注射針器具９００は薬剤を組織へ注入するための器具であり、注射針支持固定具８００と、注射針支持固定具８００に支持された注射針１００と、を備えている。
【００２１】
注射針１００を第１板部２２０の第１粘着面２２１に付着させるように載置し、谷折線２５０で第１板部２２０と第２板部２３０とを折り畳み、第１板部２２０の第１粘着面２２１と第２板部２３０の第２粘着面２３１との間で、注射針１００の針先１１０を露出させて注射針１００を挟持して、注射針１００を粘着支持する。
【００２２】
注射針１００は、特に限定されるものではないが、例えば、実験用動物の左心室内に灌流液を導入する注射針である。このような注射針は、胎生期又は生後すぐのような小さい個体の場合であっても左心室内に灌流液を導入できるものであれば、特に限定されるものではなく、例えば直径が0.3ｍｍ〜0.7ｍｍで、長さが20ｍｍ〜30ｍｍのものを使用することができ、より好適には直径が0.4ｍｍで長さが25ｍｍのものを使用することができる。注射針１００の基端部は、灌流液を送液する送液用チューブに取り付けられる。
【００２３】
例えば、実験用動物の心臓内へ環流液を導入する場合に使用する注射針を注射針支持固定具８００にて支持する使用態様では、注射針１００を心臓へ穿刺する際に、第１板部２２０及び第２板部２３０の針先１１０側の短辺が心臓の左心室の心尖部側の外壁に当接する。第１板部２２０及び第２板部２３０で挟持された注射針１００の露出している部分の長さは、左心室の心尖部側の外壁と心基部側の内壁との長さよりも小さい。例えば第１板部２２０及び第２板部２３０で挟持された注射針１００の露出している部分の長さは3.0ｍｍ〜5.0ｍｍとすることが可能で有り、好ましくは4.0ｍｍである。左心室の内部空間を形成する心臓壁は、心室中隔と、左心室の側壁と、心尖部側（下側）にある左心室の下壁と、を有する。左心室の側壁は、左心室の前面側の壁と、左心室の後面側の壁と、心室中隔の対向に位置する左心室の壁とを有する。右心室の内部空間を形成する心臓壁は、左心室と同様に規定される。
【００２４】
なお、上述の構成では、板部２４０は一枚物の板部で構成されていたが、本発明はこのような実施形態に限定されるものではなく、例えば板部２４０は別体である第１板部２２０と第２板部２３０とで構成されることも可能である。
【００２５】
（実施形態２）
図４に示されるように、注射針支持固定具８００は、注射針１００の針先１１０を露出させて該注射針１００を支持する注射針支持部としてのシリンダスペーサ２００と、組織に取り付けられることにより組織に穿刺された注射針１００を固定する注射針固定部としてのクリップ３００と、を有する。注射針器具９００は、注射針支持固定具８００と、注射針支持固定具８００に支持された注射針１００とを備えている。
【００２６】
シリンダスペーサ２００は、注射針１００の周りに同心円的に取り付けられる中空の筒体を備える。筒体の中空内部に注射針１００が挿入されることにより、注射針外面と筒体の中空内部との摩擦により注射針１００が支持される。
【００２７】
例えば、実験用動物の心臓内へ環流液を導入する場合に使用する注射針を注射針支持固定具８００にて支持する使用態様では、シリンダスペーサ２００は、注射針１００を心臓へ穿刺する際に、筒体の先端部２１０が心臓の左心室の心尖部側の外壁に当接する。後述するように、シリンダスペーサ２００において、注射針１００の針先と筒体の先端部との長さは、左心室の心尖部側の外壁と心基部側の内壁との長さよりも小さい。例えば注射針１００の針先と筒体の先端部との長さは3.0ｍｍ〜5.0ｍｍとすることが可能で有り、好ましくは4.0ｍｍである。なお、例えば、注射針器具９００は左心室内に灌流液を導入するために使用されるものであるから、注射針１００の針先と筒体の先端部との長さは、左心室の心尖部側の壁厚よりも長い。
【００２８】
図５は、注射針器具９００の概略を説明する側面図である。クリップ３００は心室の側壁を把持する。クリップ３００が把持する心室の側壁は、右心室又は左心室の側壁の何れのものでもかまわない。図４及び図５に示す構成では、クリップ３００は左心室の側壁を把持する。クリップ３００は、先端部に圧接部３１０が形成され後端部につまみ部３２０が形成され、略中間位置にある枢支部３３０で枢支された一対の腕部材３４０と、弾性力により各々の圧接部３１０を互いに接近せしめる方向に付勢されて心室の側壁を把持する弾性部３５０と、を有する。
【００２９】
クリップ３００は、シリンダスペーサ２００の周りに同心円的に取り付けられる中空の筒体である取付部３６０により、シリンダスペーサ２００の側部に取り付けられている。取付部３６０と枢支部３３０とは接続部３６１により接続されている。
【００３０】
圧接部３１０には互いに向き合う面に複数の筋状の凹凸部３１１が形成されている。これにより滑りを軽減して適切に心室の側壁を把持することが可能となる。圧接部３１０には不溶性の防滑剤を塗布しておくことも可能である。防滑剤としては、ポリアミド系、ポリエステル系、ポリオレフィン系、合成ゴム系、アクリル系、ウレタン系、エポキシ系等の樹脂を使用できる。
【００３１】
注射針器具９００にて導入できる灌流液としては、特に限定されるものではなく、例えばリン酸緩衝生理食塩水、パラフォルムアルデヒド水溶液、グルタールアルデヒド水溶液等を使用することが可能である。また、実験用動物も特に限定されるものではなく、例えばマウス、ラット、モルモット、ウサギ、イヌ等を用いることが可能である。
【００３２】
なお、上述の実施形態では、クリップ３００は、圧接部３１０、つまみ部３２０及び枢支部３３０を有する一対の腕部材３４０と、各々の圧接部３１０を互いに接近せしめる方向に付勢させる弾性部３５０とを有する構成であったが、クリップ３００はこのような構成に限定されるものではなく種々の構成を採用することが可能である。例えば、クリップ３００は、拡開する向きに弾性的に付勢され、心室の側壁を把持する一対の腕部材と、これら一対の腕部材に嵌められて先端部側に移動することにより一対の腕部材が強制的に閉じられた状態を維持するリングと、を有する構成とすることが可能である。
【００３３】
また、上述の実施形態では、クリップ３００は中空の筒体である取付部３６０によりシリンダスペーサ２００に取り付けられていたが、クリップ３００がシリンダスペーサ２００に取り付けられる構成は、このような構成に限定されない。クリップ３００をシリンダスペーサ２００の側部に取り付けるものであれば種々の構造を採用することが可能である。図６は、クリップ３００がシリンダスペーサ２００に取り付けられる別構成を備える注射針器具９００の概略を説明する平面図である。図６に示されるように、枢支部３３０から延出して、シリンダスペーサ２００の周りに螺旋状に巻回されて取り付けられた金属線部材３７０とすることも可能である。図６に示す構成では、クリップ３００は右心室の側壁を把持する。
【００３４】
次に上述の構成の注射針器具９００の使用態様の一具体例について説明する。図７は、注射針器具９００を使用して実験用動物の心臓７００に灌流液を導入する使用態様を説明する平面図である。
【００３５】
図７に示されるように、実験用動物の心臓７００の心室は、心室中隔７３０により左心室７１０と右心室７２０とに区画されている。心尖部７４０は心臓７００の下縁に位置し、心基部７５０は上縁に位置する。
【００３６】
まず、注射針１００の針先１１０を左心室７１０に心尖部７４０側から穿刺する。注射針１００を針刺方向に侵入させると、シリンダスペーサ２００の先端部２１０が左心室７１０の心尖部７４０側の外壁に当接する。注射針１００の針先１１０と筒体の先端部２１０との長さＸは、動物の心臓の左心室の心尖部側の外壁との左心室の心基部側の内壁との長さＹよりも小さい。
【００３７】
図８は、注射針器具９００を使用して実験用動物の心臓７００に灌流液を導入する使用態様を説明する側面図である。図８に示されるように、シリンダスペーサ２００の先端部２１０が左心室７１０の心尖部７４０側の外壁に当接した後、つまみ部３２０をつまんで圧接部３１０を開き、左心室の側壁を把持する。図７及び図８に示す構成では、圧接部３１０は左心室７１０の側壁端部を把持している。即ち、図７及び図８に示す構成では、クリップの一方の腕部材が左心室前面側の側壁端部に当接し、他方の腕部材が左心室後面側の側壁端部に当接して、クリップが左心室を把持している。クリップが左心室の側壁中央部を把持する場合にあっては、クリップが左心室内部を圧迫して灌流液の円滑な流入を阻害する虞があるからであり、また、クリップが左心室の側壁端部を把持することにより、注射針器具９００の使用者の穿刺部分への良好な視界が確保できるからである。
【００３８】
注射針１００の針先１１０と筒体の先端部２１０との長さＸは、動物の心臓の左心室の心尖部側の外壁との左心室の心基部側の内壁との長さＹよりも小さいので、注射針１００の針先１１０が左心室の心基部側の内壁を突き抜けることを防止することができる。また、クリップ３００が心室の側壁を把持するので注射針１００を的確に固定できる。これにより、簡易且つ確実に灌流液を導入することができる。
【００３９】
次に、螺旋状に巻回された金属線部材３７０にて、クリップ３００がシリンダスペーサ２００に取り付けられる別構成を備える注射針器具９００の使用態様の一具体例について説明する。図９は、螺旋状に巻回された金属線部材３７０を備える注射針器具９００を使用して実験用動物の心臓７００に灌流液を導入する使用態様を説明する平面図である。
【００４０】
図９に示す構成では、圧接部３１０は右心室７２０の側壁略中央部を把持している。即ち、図９に示す構成では、クリップの一方の腕部材が右心室前面側の側壁略中央部に当接し、他方の腕部材が右心室後面側の側壁略中央部に当接して、クリップが右心室を把持している。クリップが左心室を把持する場合にあっては、クリップによる左心室内部の圧迫の回避を考慮する必要があり、そのためクリップは左心室の側壁端部を把持することが好ましいが、クリップが右心室を把持する場合にあっては、クリップによる右心室内部の圧迫が発生したとしても灌流液の円滑な流入は阻害されないため、クリップにより右心室の側壁略中央部を把持することが可能である。左心室の側壁端部を把持するよりも、右心室の側壁略中央部を把持するほうが作業性が簡易であるため、クリップ３００は圧接部３１０にて右心室７２０の側壁略中央部を把持することが好ましい。
【００４１】
（実施形態３）
上述の実施形態では、注射針を固定する注射針固定部はクリップ３００であったが、実施形態３においては、注射針固定部は注射針１００の側部に設けられた返し部材４００である。
【００４２】
図１０は、実施形態２にかかる注射針器具９００の概略を説明する側面図である。図１０に示されるように、注射針１００の側部には斜め後方側に向けて突出する返し部材４００が設けられている。返し部材４００は、注射針と同一材質で一体的に形成される。
【００４３】
本構成の注射針器具９００の注射針１００の針先１１０を左心室７１０に心尖部７４０側から穿刺させ、シリンダスペーサ２００の先端部２１０を左心室７１０の心尖部７４０側の外壁に当接させる。その後、予期せぬ力がかかり、抜去方向に注射針器具９００が押されたとしても、返し部材４００が左心室７１０の心尖部７４０側の内壁と係合して引っかかることにより、注射針１００が抜けることを防止できる。
【００４４】
返し部材４００は、後部が注射針１００から離間する方向に弾性付勢されていることが好ましい。これにより、注射針１００を左心室７１０に侵入させる際には、返し部材４００が左心室７１０の心尖部７４０側の壁に当接して折り畳まれることにより、左心室７１０の壁の損傷を最小限にとどめることができ、返し部材４００が左心室７１０の壁を通過した後は広がることにより、抜去方向に注射針器具９００が押されたとしても、返し部材４００が左心室７１０の心尖部７４０側の内壁と係合して引っかかる。
【００４５】
なお、図１０では返し部材４００は１個しか設けられていないが、注射針１００の側部に複数個設けることも可能である。また、返し部材４００は注射針と同一材質で一体的に形成される構成に限定されず、図１１に示されるように、シリンダスペーサ２００と同一材質で一体的に形成される構成とすることも可能である。この構成の場合、注射針１００の周りに同心円的に取り付けられた中空の筒体を切削することにより、シリンダスペーサ２００と返し部材４１０とを一体的に形成することが可能である。
【００４６】
実施形態３の構成によれば、実施形態１及び２の構成と比較して注射針１００の固定面ではやや劣るものの、より簡易な構成にて灌流液を心臓内へ導入することができる。なお、実施形態１及び２では注射針固定部はクリップ３００であり、実施形態３においては返し部材４００，４１０であるが、これらの実施形態をともに備える構成を採用することも可能である。
【実施例】
【００４７】
（実施例１）
図１２に示されるように、注射針支持部として板部を有し、注射針固定部としてクリップを有する注射針支持固定具を作成した。板部は谷折線にて第１板部と第２板部とに区分けされていた。第１板部及び第２板部はともにポリプロピレン製であり、それぞれ、平面視が長方形であり短辺は５ｍｍで長辺は１５ｍｍであり、厚みは0.7ｍｍであった。第１粘着面及び第２粘着面はともにウレタン粘着剤を有する両面テープにて形成された。【００４８】
図１３に示されるように、作成した注射針支持固定具の第１粘着面に注射針を載置した。注射針はテルモ製27Gであった。図１４に示されるように、谷折線で第１板部と第２板部とを折り畳み、第１板部の第１粘着面と第２板部の第２粘着面との間で注射針を挟持して、注射針を粘着支持した。注射針の針先は露出しており、粘着支持された板部から露出している注射針の部分の長さは４．０ｍｍであった。この露出している注射針の部分の長さは、動物の心臓の左心室の心尖部側の外壁との左心室の心基部側の内壁との長さよりも小さい。【００４９】
（実施例２）
図１５に示されるように、注射針支持部として中空の筒体であるシリンダスペーサを有し、注射針固定部としてクリップを有する注射針支持固定具を作成し、注射針(テルモ製27G)を支持して注射針器具を作成した。シリンダスペーサとして長さ14.5ｍｍのプラスチックチューブを使用した。注射針固定部としてのクリップは、先端部に圧接部が形成され後端部につまみ部が形成され、中間位置で枢支された一対の腕部材と、弾性力により各々の圧接部を互いに接近せしめる方向に付勢させる弾性部と、を有する洗濯バサミ型のクリップであった。針先と筒体の先端部との長さＸは4.0ｍｍであった。クリップは、螺旋状に巻回された金属線部材にてシリンダスペーサに取り付けられた。クリップは右心室の側壁を把持するものであった。【００５０】
従来例である既存針と本実施例にかかる注射針器具とを使用して、マウスのホルマリン灌流固定（以下灌流固定）を行なった。試験者は、灌流に経験がない初心者である大学院修士課程２年生の学生であった。既存針はテルモ製27Gであった。【００５１】
その他用いた器具及び試薬は、ペリスタポンプ、解剖ハサミ、ピンセット、鉗子、ステンレスバット、コルク板、虫ピン、10%緩衝ホルマリン（ナカライテスク製）、phosphate buffered saline（ナカライテスク製）、ペントバルビタール（50mg/ml, ダイナボット製）であった。【００５２】
用いたマウスは、８週齢、オスのC57BL/6系マウスであり、１０匹使用した。【００５３】
灌流固定方法を下記に説明する。マウスにペントバルビタール50mg/kgを腹腔投与し、深麻酔した後、コルク板上に背位固定した。胸腔を開き心臓を露出した。既存の注射針の場合は針先を左心室に刺し、針は手で保持した。【００５４】
一方、本実施例にかかる注射針器具では、注射針の針先を左心室に心尖部側から穿刺させ、シリンダスペーサの先端部が左心室の心尖部側の外壁に当接させて、針先を左心室内に位置するように適切に設置した。【００５５】
右心房を切開し、ペリスタポンプを用いて1mL/minの速度にてPBS 10mLを灌流した。その後、灌流液を10%緩衝ホルマリン液に替え、さらに15mLを灌流した。【００５６】
この間に誤刺、灌流中の針抜け、刺し過ぎなどの技術的問題の有無や肝臓の脱血、鼻腔からの灌流液の漏出、ホルマリンによる痙攣の有無など、灌流成功の指標となりうる事象について評価した。灌流後、身体の硬化について評価し、脳を摘出、観察した。【００５７】
試験者に対してマウス灌流固定の簡単な技術指導を行ない、既存の注射針と本実施例にかかる注射針器具とを用いて、５匹ずつマウス心臓灌流固定を行なった。結果を下記表１に示す。【００５８】
【表１】
2017033452.tif 000003
【００５９】
表１に示されるように、作業中の誤刺、灌流中の針抜けや深く刺し過ぎ等の問題事例についてその頻度を検証した結果、既存の注射針ではいずれの事象も５例中１■３例において生じていた。一方、本実施例の注射針器具を用いた場合、このような問題事象は認められなかった。これらの事象について、特に２つ以上併発すると最終的な灌流固定の失敗につながると考えられる。本発明による注射針器具を用いることにより、灌流固定の失敗につながるような実験操作上のミスをほぼゼロにする事が可能になる。【００６０】
灌流が正確に進められているか否かについて、一般的な評価点として肝臓の脱血による白変がある。毛細血管が多く血液を大量に含む肝臓は、正確に灌流が行なわれると赤血球が消失し、暗赤色から明褐色に変化する。これをもって灌流が正確に行なわれていると判断する作業従事者は多く、この事象がおこらないと全身灌流に至っていないと判断される。肝臓からの脱血の頻度について検討した結果、表１に示されるように、既存針を使用した場合では、５例中２例で肝臓が脱血されない事象が認められた。一方、本実施例にかかる注射針器具では、全例において良好で速やかな肝臓の脱血が確認できた。従って、全身灌流の成功率においても本提案により飛躍的に向上する事が分かった。【００６１】
灌流針の穿刺ミスとして、針先が左心房に達してしまうことにより灌流液が肺静脈に流入した結果として肺から灌流液が流出、気道をとおし鼻腔または口腔から漏出してしまうことがある。これは灌流液が正確に全身灌流に至っていない事を意味しており、灌流固定失敗を意味する指標といえる。表１に示されるように、今回の評価では針では５例中２例で鼻腔・口腔からの灌流液漏出が認められており、そのような例では灌流固定は失敗していた。これに対し、本実施例にかかる注射針器具では、全例において鼻腔・口腔からの灌流液漏出は認められなかった。本実施例にかかる注射針器具では、設置から灌流終了にかけて針先は正確に左心室に保持され、全身灌流の成功につながっている事が分かった。【００６２】
筋組織がホルマリンに触れると不随意的な筋収縮がおこる。これが個体では特徴的な痙攣として認められ、ホルマリンの全身灌流が正確に行なわれたことの指標となっている。この痙攣の出現頻度について調べた結果、表１に示されるように、既存針では５例中２例で痙攣がおこらない失敗例が認められた。一方、本実施例にかかる注射針器具では全例において痙攣が確認できた。従って、提案する注射針器具では初心者であってもミス無く全身灌流を成功させる事ができる事が分かった。【００６３】
最終的な灌流固定の評価指標として最も信頼性が高いのは灌流固定後の全身の硬化である。灌流固定処置後の全身の硬化について、全く硬化が認められない(0)、やや硬化が認められるが充分ではない(1)、充分に硬化が認められる (2)で評価した結果、表１に示されるように、既存針で成功と判定できる(2)の評価が認められたのは１例のみであった。これに対し、本実施例にかかる注射針器具では全例において全身の硬化(2)が確認できた。【００６４】
以上の所見を統合した結果として最終的な灌流固定の成否について検討した結果、初心者の作業で灌流固定が成功した例は既存針で５例中１例であったのに対し、本実施例にかかる注射針器具では５例中全例であった。また、使用感についてインタビューした結果、表１に示されるように、既存針での作業については難しさや不安、自身の無い作業であるとの使用感に対し、本実施例の注射針器具では高い安心感やストレスフリーな使用感であるとのコメントであった。【００６５】
本実施例にかかる注射針器具は、灌流実験成功率を大きく高め、初心者であってもほぼ失敗しなくなるという極めて高い有用性がある事が判明した。更に、簡便な操作と成功率の保証による使用者のストレス軽減、また、灌流の失敗により実験から脱落してしまう動物を減らすことにより、総合的な使用動物数の減数にもつながる。これは経済的な面のみならず、動物実験倫理指針等に掲げられる使用動物の削減(reduce)につながる。また、実施例から既存針では、脱血はされているもののホルマリン固定は不十分であり、結果として個体が望ましく硬化されていない例が認められた。これは一見灌流固定が成功しているようにも見られるため、本来は失敗であるにもかかわらず実験データとして採用されてしまう可能性が考えられる。そうなると、ホルマリン固定が正確になされていない組織のデータが混入する事になり、データの信頼性、安定性を損なうことにつながる。本実施例にかかる注射針器具を用いた実施例ではこのような固定不十分な例は認められず、全ての個体において正確なデータを得る事ができるようになる。従って、本発明によれば実験データの安定化、信頼性の向上が可能となる。【００６６】
本実施例にかかる注射針器具の用途はホルマリン灌流固定に留まらない。採取する組織への血液の混入を避ける目的で行なう脱血処理には高い効果が期待できる。また、肝臓等の組織の分散培養等ではタンパク質分解酵素液を全身灌流させることで、細胞を回収する手法が知られており、このような用途にも用いることも可能である。
【産業上の利用可能性】
【００６７】
実験用動物の灌流に利用できる。
【符号の説明】
【００６８】
１００：注射針
１１０：針先
２００：シリンダスペーサ
２１０：先端部
２２０：第１板部
２２１：第１粘着面
２３０：第２板部
２３１：第２粘着面
２４０：板部
２５０：谷折線
３００：クリップ
３１０：圧接部
３２０：つまみ部
３３０：枢支部
３４０：腕部材
３５０：弾性部
３６０：取付部
４００：返し部材
７００：心臓
７１０：左心室
７２０：右心室
７３０：心室中隔
７４０：心尖部
７５０：心基部
８００：注射針支持固定具
９００：注射針器具
【図１】
2017033452.tif 000004
【図２】
2017033452.tif 000005
【図３】
2017033452.tif 000006
【図４】
2017033452.tif 000007
【図５】
2017033452.tif 000008
【図６】
2017033452.tif 000009
【図７】
2017033452.tif 000010
【図８】
2017033452.tif 000011
【図９】
2017033452.tif 000012
【図１０】
2017033452.tif 000013
【図１１】
2017033452.tif 000014
【図１２】
2017033452.tif 000015
【図１３】
2017033452.tif 000016
【図１４】
2017033452.tif 000017
【図１５】
2017033452.tif 000018
【国際調査報告】
2017033452.tif 000019
2017033452.tif 000020
2017033452.tif 000021
2017033452.tif 000022